(57)【要約】【課題】安心して浄水を利用できる浄水供給装置を提供する。【解決手段】少なくとも逆浸透膜式ろ過手段を透過した後の浄水の水質を測定する水質測定手段と、浄水供給装置の接客面に設けられて水質測定手段により得られた水質の測定値を表示する表示手段と、水質測定手段及び表示手段を制御する制御手段とを備え、制御手段は容器に給水中に水質測定手段の測定値を表示手段に表示させ、給水終了時にその表示を止めるように構成した。【選択図】図１
2013049030.tif 000002
【特許請求の範囲】
【請求項１】
逆浸透膜を含むろ過手段で水道水をろ過して浄水を生成し、所定量を容器に注入して供給する浄水供給装置において、
少なくとも前記ろ過手段を透過した後の浄水の水質を測定する水質測定手段と、
浄水供給装置の接客面に設けられて前記水質測定手段により得られた水質の測定値を表示する表示手段と、
前記水質測定手段及び前記表示手段を制御する制御手段とを備え、
前記制御手段は前記容器に給水中に前記水質測定手段の測定値を前記表示手段に表示させ、給水終了時にその表示を止めるものであることを特徴とする浄水供給装置。
【請求項２】
前記水質測定手段は、前記ろ過手段を透過する前の水道水の水質を測定する第１ＴＤＳメータと、前記ろ過手段を透過した後の浄水の水質を測定する第２ＴＤＳメータとからなり、
前記表示手段は、第１ＴＤＳメータの測定値と、第２ＴＤＳメータの測定値とを対照的に表示するものであることを特徴とする請求項１に記載の浄水供給装置。
【請求項３】
前記制御手段は前記水質測定手段により得られた第１ＴＤＳ値と第２ＴＤＳ値を用いて不純物除去率を演算する演算手段を含み、
前記表示手段は前記演算手段の演算結果である不純物除去率を表示するものであることを特徴とする請求項１に記載の浄水供給装置。
【請求項４】
前記表示手段は第１ＴＤＳメータの測定値と第２ＴＤＳメータの測定値とを対照的に表示するとともに、前記演算手段の演算結果である不純物除去率を併せて表示するものであることを特徴とする請求項１に記載の浄水供給装置。
【請求項５】
前記表示手段は、設定により、第１ＴＤＳメータの測定値と第２ＴＤＳメータの測定値と不純物除去率の３つの値を、それぞれ表示又は非表示に切り替えることができるように構成されていることを特徴とする請求項４に記載の浄水供給装置。
【請求項６】
前記演算手段は、前記ろ過手段を通過する前の水道水の給水開始時のＴＤＳ値の所定期間の平均値と、前記ろ過手段を通過した後の浄水の給水終了時のＴＤＳ値の所定期間の平均値とを用いて不純物除去率の所定期間の平均値を演算するものであることを特徴とする請求項４又は５に記載の浄水供給装置。
【請求項７】
請求項４〜６のいずれか１項に記載の浄水供給装置において、浄水の水質の基準値である不純物除去率を記憶する記憶手段と、前記水質測定手段により得られた不純物除去率の値と前記記憶手段に記憶されている基準値とを比較する比較手段とを付加し、前記制御手段は、前記比較手段が前記不純物除去率を求める手段により得られた不純物除去率の値が前記基準値よりも低下したと判断した場合に、以後の浄水供給機能を停止することを特徴とする浄水供給装置。
【請求項８】
逆浸透膜の孔径は、０．０００１〜０．００１μmであることを特徴とする請求項１〜７のいずれか１項に記載の浄水供給装置。
【発明の詳細な説明】
【技術分野】
【０００１】
本発明は、水道水を逆浸透膜式ろ過手段でろ過して浄水を生成し、所定量を容器に注入して供給する浄水供給装置に関する。
【背景技術】
【０００２】
安全で美味しい水に対する要望が高まるにつれて、逆浸透膜式ろ過手段で水道水をろ過して浄水を生成し、所定量を容器に注入して供給する浄水供給装置が、スーパーマーケット等の大型小売店などに設置されたり、施設内外に自動販売機形式で設置されたりする例が増えている。
【０００３】
供給される浄水の安定した水質を維持するため、逆浸透膜による不純物除去率を測定する手段を備え、その結果を報知（表示）するようにした浄水供給装置が特許文献１，２に開示されている。
【先行技術文献】
【特許文献】
【０００４】
【特許文献１】特開２００５−９５７０６号公報  請求項1、００２６
【特許文献２】特開２００８−２５９９４９号公報    ００４５
【発明の概要】
【発明が解決しようとする課題】
【０００５】
しかしながら、これらの特許文献に記載の浄水供給装置は、不純物濃度センサ又は水質測定手段を用いて定期的に不純物除去率を求め、その不純物除去率が所定値以下の場合にその旨を報知（表示）するものであり、報知対象者はその浄水供給装置の管理者又は設置者であって、報知目的は逆浸透膜の交換時期の通知、その他のメンテナンス管理にある。
【０００６】
一方、浄水供給装置の浄水の供給を受ける利用者には、浄水供給時（給水時）においてその浄水の水質が本当に安全なのか不安を感じる者が少なくない。しかし、従来、給水時の水質を利用者のために表示する浄水供給装置は知られていない。そのため、利用者は不安感を払拭されずに、あるいは水質に対して確たる安心感を与えられること無く、供給された浄水を利用しているのが現状であり、安心して浄水を利用できる浄水供給装置が要望されていた。
【０００７】
そこで、本発明は、上記要望に応えることができる浄水供給装置を提供することを目的とする。
【課題を解決するための手段】
【０００８】
本発明は、上記目的を達成するため、逆浸透膜を含むろ過手段で水道水をろ過して浄水を生成し、所定量を容器に注入して供給する浄水供給装置において、（ａ）少なくとも前記ろ過手段を透過した後の浄水の水質を測定する水質測定手段と、（ｂ）浄水供給装置の接客面に設けられて前記水質測定手段により得られた水質の測定値を表示する表示手段と、（ｃ）前記水質測定手段及び前記表示手段を制御する制御手段とを備え、（ｄ）前記制御手段は前記容器に給水中に前記水質測定手段の測定値を前記表示手段に表示させ、給水終了時にその表示を止めるものであることを特徴としている（請求項１）。
【０００９】
本発明は、（ａ１）前記水質測定手段が、前記ろ過手段を透過する前の水道水の水質を測定する第１ＴＤＳメータと、前記ろ過手段を透過した後の浄水の水質を測定する第２ＴＤＳメータとからなり、（ｂ１）前記表示手段が、第１ＴＤＳメータの測定値（第１ＴＤＳ値)、すなわち、水道水の不純物濃度値と、第２ＴＤＳメータの測定値（第２ＴＤＳ値)、すなわち、浄水の不純物濃度値とを対照的に表示するものであることを特徴とする（請求項２)。
【００１０】
また、本発明は、（ａ２）前記制御手段が前記水質測定手段により得られた第１ＴＤＳ値と第２ＴＤＳ値を用いて不純物除去率を演算する演算手段を含み、（ｂ２）前記表示手段が前記演算手段の演算結果、すなわち、不純物除去率を表示するものであることを特徴とする（請求項３)。
【００１１】
さらに、本発明は、上記構成において、（ｂ３）前記表示手段は第１ＴＤＳメータの測定値、すなわち、水道水の不純物濃度値と、第２ＴＤＳメータの測定値、すなわち、浄水の不純物濃度値とを対照的に表示するとともに、前記演算手段の演算結果、すなわち、不純物除去率を併せて表示するものであることを特徴とする（請求項４）。そして、（ｂ４）前記表示手段は、設定により、水道水の不純物濃度値、浄水の不純物濃度値及び不純物除去率の３つの値を、それぞれ表示又は非表示に切り替えることができるように構成されている（請求項５)。
【００１２】
前記演算手段は、前記ろ過手段を通過する前の水道水の給水開始時のＴＤＳ値の所定期間の平均値と、前記ろ過手段を通過した後の浄水の給水終了時のＴＤＳ値の所定期間の平均値とを用いて不純物除去率の所定期間の平均値を演算するものであることが望ましい（請求項６)。
【００１３】
本発明の好ましい例は、上記構成に、浄水の水質の基準値である不純物除去率を記憶する記憶手段と、(ｆ)前記水質測定手段により得られた不純物除去率の値と前記記憶手段に記憶されている基準値とを比較する比較手段とを付加し、(ｇ)前記制御手段は、前記比較手段が前記不純物除去率を求める手段により得られた不純物除去率の値が前記基準値よりも低下したと判断した場合に、以後の浄水供給機能を停止することを特徴とする（請求項７)。
【００１４】
本発明に係る浄水供給装置において使用される逆浸透膜の孔径は、０．０００１〜０．００１μmであることが望ましい（請求項８)。
【発明の効果】
【００１５】
請求項１の発明によれば、浄水の給水中にその浄水の水質が接客面に表示されるので、利用者に給水される浄水に対して確かな安心感を与えることができる。従って、浄水供給装置の利用促進にも繋がる。
【００１６】
請求項２の発明によれば、水道水（原水)の不純物濃度値と浄水の不純物濃度値とを対照的に表示して、浄水の不純物濃度が水道水の不純物濃度からどの程度低下したかの情報を利用者に与えるので、利用者は納得して安心感を持つことができる。
【００１７】
請求項３の発明によれば、浄水の不純物除去率を表示するので、利用者は当該浄水供給装置の不純物除去能力を具体的数値で知ることができる。従って、利用者は安全性を信用できるので、浄水供給装置の利用促進効果が得られる。
【００１８】
請求項４の発明によれば、浄化前後の不純物濃度のほかに不純物除去率を表示するので、利用者は当該浄水供給装置の浄化前後の水質と不純物除去能力を具体的数値で知ることができ、除去率の内容が分かる。請求項５の発明によれば、水道水の不純物濃度値、浄水の不純物濃度値及び不純物除去率の３つの値を、単独表示又は併合表示に任意に切り替えることができる。
【００１９】
請求項６の発明によれば、所定期間の平均値の不純物除去率が表示されるので、外気温や水道水の圧力等の変動に左右されずに安定した不純物除去率の表示が可能である。
【００２０】
請求項７の発明によれば、浄水の水質が基準値以下になった時は給水が禁止されるので、利用者は水質が基準値以下の浄水を利用することが無いから、安全性が保障される。
【００２１】
請求項８の発明によれば、水道水に含まれる極微小な不純物も除去されるので、より安全な浄水の供給が可能である。
【図面の簡単な説明】
【００２２】
【図１】本発明に係る浄水供給装置が自動浄水販売機として実現される場合の正面図である。
【図２】同装置の配管図である。
【図３】浄水供給装置の制御系のブロック構成図である。
【図４】浄水生成部の制御動作説明用フローチャートである。
【図５】表示部の制御動作説明用フローチャートである。
【図６】ディスプレイの表示内容の一例を示す正面図である。
【発明を実施するための形態】
【００２３】
続いて、本発明の実施の形態について図面を参照しながら説明する。
本発明に係る浄水供給装置は、浄水自動販売機として実現されるほか、浄水を所定の大きさの容器に無償で供給する浄水供給装置として実現されてもよいが、図１は、本発明に係る浄水供給装置を浄水自動販売機Ａとして実現する場合の一例を示す。
【００２４】
この浄水自動販売機Ａは、外装と内部機器の保護のための筺体１０を有し、その筺体１０の正面である接客面に操作パネル１１が備えられ、その操作パネル１１の下側で正面の高さ方向ほぼ中央の右側に硬貨投入口１２が、その付近に釣銭返却レバー１３が設けられ、その下側に釣銭返却口１４が設けられている。そして、硬貨投入口１２、釣銭返却レバー１３の左側に、筐体１０の正面から内側に窪んだ、浄水を注入する所定の容器Ｂ（図２）を挿入して載置するための載置台１５が設けられている。この載置台１５の開口面は、扉１６により常時閉鎖されており、硬貨投入口１２に所定金額の硬貨を投入したときに、ドアロック用ソレノイド（図３のＤＳＯＬ）により扉１６のロックが解除されて扉が開放可能になる。扉１６を開放して所定の容器を載置台１５に載置すると、図示されていない容器センサ（図３のＢＳ）が容器有り信号を後述される第１制御部ＣＯＮＴ１に入力するようになっている。
【００２５】
操作パネル１１には、表示部１１ａと操作部１１ｂが含まれる。表示部１１ａには利用者に対するガイダンス表示、例えば、容器Ｂを載置台１５に入れ、又は載置台１５から出すことを促すメッセージや現在の給水進行状況などの表示を行う。操作部１１ｂは複数のボタンで構成され、２リットル又は４リットルのいずれかの給水量の選択を利用者がボタン操作で行うものである。
【００２６】
載置台１５に載置された容器に注水される浄水の対価精算方法は、上記硬貨処理のほか、紙幣処理、会員カード又はクレジットカードなどのカード処理など任意であり、上記の実施の形態は、その一例に過ぎない。
【００２７】
筺体１０の接客面の最上部には、後述するように、本発明に基づいて浄水自動販売機Ａが載置台１５に載置された容器に供給する浄水の水質を表示するための表示装置５０（図３参照）の一構成要素であるディスプレイ５１が設けられている。
【００２８】
筺体１０の中には、図２に例示するような浄水生成部２０が装備されている。浄水生成部２０は、一端側が原水である水道水を供給する水道管１８に連結され、他端側は前記載置台１５の直上に位置させた注水口１９に接続されている。浄水生成部２０は、水道管１８と注水口１９との間に設置された、水道水を供給又は停止させる受水ユニット２０ａと、供給される水道水を前処理する前処理ユニット２０ｂと、前処理された水道水を加圧するポンプユニット２０ｃと、加圧された水道水を逆浸透膜を用いてろ過する逆浸透膜式ろ過手段であるＲＯユニット２０ｄと、ＲＯユニット２０ｄでろ過生成された透過水、すなわち浄水を容器Ｂに注水し又は注水を停止する給水ユニット２０ｆと、ＲＯユニット２０ｄと給水ユニット２０ｆとの間に流量センサＦＭ１からなる量水ユニット２０ｅと、ＲＯユニット２０ｄで発生した濃縮水をポンプユニット２０ｃに循環する循環排水ユニット２０ｇとから構成されている。
【００２９】
換言すると、水道管１８とＲＯユニット２０ｄとの間の給水用管路３１及びＲＯユニット２０ｄと注水口１９との間の注水用管路３２、さらにＲＯユニット２０ｄの濃縮水（非透過水）の排水管と前記給水用管路３１との間の循環経路３３にそれぞれ上記各ユニットを構成する作動部材が次のように配設されている。
【００３０】
すなわち、受水ユニット２０ａは、上流から下流に向かって、原水の供給と供給停止を行う手動バルブＶ１、圧力計ＰＧ１、減圧弁ＲＶ１、水道メータＭ１、手動バルブＶ５、電磁弁ＳＶ２が順次配置されて構成されている。手動バルブＶ５には、給水ユニット２０ｅ及び循環排水ユニット２０ｆのメンテナンス用経路４１，４２がそれぞれ接続されている。
【００３１】
受水ユニット２０ａの下流側に接続される前処理ユニット２０ｂは、二つの分岐路に配置したセディメントフィルタ（原水に含まれている比較的大きな不純物を除去するフィルタ）Ｆ１，Ｆ２と、その下流の三つの分岐路に配置したカーボンフィルタ（原水に含まれている比較的小さな不純物を除去するフィルタ）Ｆ３，Ｆ４，Ｆ５と、逆止弁ＣＨ９と、水抜き用のシャットオフバルブＶ８とで構成されている。
【００３２】
ポンプユニット２０ｃは、前処理ユニット２０ｂで比較的大きな不純物を除去された原水をＲＯユニット２０ｄの逆浸透膜ＲＯ１，ＲＯ２に加圧供給するものであり、加圧ポンプＰ１で構成されている。
【００３３】
ＲＯユニット２０ｄは、逆浸透膜を収納して一側に取水口ａを、他側に透過水出口ｂを、下面に濃縮水出口ｃを備えた逆浸透膜ユニットＲＯ１，ＲＯ２を、複数個、図示の例では２段に並列及び直列に配列して構成されている。そして、各逆浸透膜ユニットＲＯ１，ＲＯ２は、それぞれの透過水出口ｂを、集水管路を介して前記注水用管路３１に接続されている。逆浸透膜の材質は、既知のものであるが、イオンや塩類の通過を阻止できるように孔径が１〜１０ｎｍ程度のものが使用されている。
【００３４】
また、給水ユニット２０ｆは、電磁弁ＳＶ３と手動バルブＶ７とで構成され、そのユニットの上流及び下流には逆止弁ＣＨ６、ＣＨ７、ＣＨ１０が配置されている。手動バルブＶ７には前記メンテナンス用経路４１が分岐形成されている。
【００３５】
循環排水ユニット２０ｇは、ＲＯユニット２０ｄにおいてろ過生成された透過水（ＲＯ水）を給水用管路１２の前処理ユニット２０ｂとポンプユニット２０ｃとの間に戻すＲＯ水循環経路３４ａと、ＲＯユニット２０ｄより流出される濃縮水（非透過水）を給水用管路１２の前処理ユニット２０ｂとポンプユニット２０ｃとの間に戻す濃縮水循環経路３４ｂと、及びリサイクル経路３４ｃとを有する。
【００３６】
ＲＯ水循環経路３４ａは、電磁弁ＳＶ８と逆止弁ＣＨ１とで構成され、濃縮水循環経路３４ｂは電磁弁ＳＶ７と逆止弁ＣＨ２とで構成され、リサイクル経路３４ｃはニードルバルブＮＶ１と逆止弁ＣＨ３とで構成されている。
【００３７】
ＲＯユニット２０ｄから流出される濃縮水を浄水供給装置Ａの載置台１５の受け皿に排水する管路３５には、圧力計ＰＧ２、電磁弁ＳＶ４、ＳＶ６、手動バルブＶ６、ノズルＯＦ２、逆止弁ＣＨ８が配置され、さらに、手動バルブＶ６に前記メンテナンス用経路４２が分岐形成されている。
【００３８】
そして、本発明に基づき、水道水がＲＯユニット２０ｄによる浄化前と浄化後に、二つの水質測定手段ＴＤＳ１，ＴＤＳ２が配置されている。図示の例では、第１水質測定手段ＴＤＳ１は受水ユニット２０ａと前処理ユニット２０ｂの間の管路に、第２水質測定手段ＴＤＳ２は、ＲＯユニット２０ｄと水量ユニット２０ｇとの間の注水用管路３２に、それぞれ設けられ、当該箇所を流れる水（原水、透過水）の水質を測定し得るように構成されている。
【００３９】
水質測定手段ＴＤＳ１，ＴＤＳ２には、既知のＴＤＳメータが用いられている。ＴＤＳメータは、水中に溶解している無機物質の総量を測定し、水に流れる電流の伝導度を電解物質（無機塩類）濃度単位であるｐｐｍで表す。ＴＤＳの数値が「０」に近ければ純水に近く、数値が高ければ電解物質が多く溶けていることを意味する。従って、各水質測定手段ＴＤＳ１，ＴＤＳ２の測定値（すなわち、ＴＤＳ値）は当該水の不純物濃度（ｐｐｍ）を表す。ＴＤＳメータが出力するＴＤＳ値データは浄水生成部２０の後述される第１制御部ＣＯＮＴ１に入力される。
【００４０】
ポンプユニット２０ｃには、ポンプP１の前後に水圧検知手段ＰＳ１，ＰＳ２が設けられている。この水圧検知手段ＰＳ１，ＰＳ２は、管路３１を流れる水の圧力を検知する圧力センサであり、その圧力センサが出力するデータを図示されていないＡ／Ｄ変換器を介してデジタル圧力値に変換して、水圧データとして浄水生成部２０の後述される第１制御部ＣＯＮＴ１に入力される。
【００４１】
本発明に係る浄水供給装置Ａは、筐体１０の中に、図３に示すように、上記浄水生成部２０の給水制御及び水質管理の総体的制御を司る第１制御部ＣＯＮＴ１と、上記表示装置５０に前記水質管理の結果の表示を行う第２制御部ＣＯＮＴ２とを有する。以下、これらの制御部について説明する。
【００４２】
第１制御部ＣＯＮＴ１は、第１中央演算手段（以下、ＣＰＵ１という。）にバスで接続された第１記憶手段（以下、ＲＯＭ１、ＲＡＭ１などという。）、第１通信手段ＴＲ１及び第１インターフェースＩＦ１を有する。また、第２制御部ＣＯＮＴ２は、第２中央演算手段（以下、ＣＰＵ２という。）にバスで接続された第２記憶手段（以下、ＲＯＭ２、ＲＡＭ２などという。）、第２通信手段ＴＲ２及び第２インターフェースＩＦ２を有する。
【００４３】
ＣＰＵ１は浄水生成部２０に電源が投入されると同時に起動し、ＲＯＭ１に記憶されたプログラムを読み出して実行することにより、浄水生成部２０全体の制御を行うものである。なお、図３には本発明の要旨に関係しない部材（例えば、精算処理部）については記載を省略する。ＲＡＭ１は、ＣＰＵ１が動作するために必要なワークエリアを有し、水質測定手段ＴＤＳ１，ＴＤＳ２が出力した水質データ、水圧測定手段ＰＳ１，ＰＳ２が出力した水圧データ等を書換え可能に記憶する。
【００４４】
第１制御部ＣＯＮＴ１の第１通信手段ＴＲ１は、浄水生成部２０のＲＯユニット２０ｄの上流側と下流側に備えた水質測定手段ＴＤＳ１，ＴＤＳ２が検知した「原水」、「透過水」の水質データ（ＴＤＳ値）と、ポンプユニット２０ｃの上流側と下流側に備えた水圧検知手段ＰＳ１，ＰＳ３の水圧データ等を第２制御部ＣＯＮＴ２の第２通信手段ＴＲ２へ送信するものである。第１通信手段ＴＲ１と第２通信手段ＴＲ２は、一つの筐体１０の中において浄水生成部２０と表示装置５０との間で通信するので、ＲＳ−２３２Ｃを用いるシリアル通信を行うものでよい。
【００４５】
第１インターフェースＩＦ１には、検知信号の出力源である容器センサＢＳ、水質測定手段ＴＤＳ１，ＴＤＳ２、水圧検知手段ＰＳ１，ＰＳ２、流量センサＦＭ１、温度センサＴＨ１などと、制御対象である扉ロック用ソレノイドＤＳＯＬ、電磁弁ＳＶ２〜ＳＶ８、ポンプユニット（加圧手段）２０ｃのポンプＰ１などが接続されている。第２インターフェースＩＦ２にはディスプレイ５１が接続されている。
【００４６】
浄水生成部２０の第１制御部ＣＯＮＴ１による制御動作の内容を図４に基づいて説明する。
第１制御部ＣＯＮＴ１のＣＰＵ１は、従来と同様に、載置台１５に所定の容器Ｂを載せ、周知の精算処理部を介して所定額の浄水料金の精算処理を終了する（Ｓ１１においてＹｅｓ）と、所定の電磁弁を開放して給水動作を開始する（Ｓ１２）とともに、給水開始信号を第１通信手段ＴＲ１を介して第２制御部ＣＯＮＴ２に送信する（Ｓ１３）。次に、ＣＰＵ１は水道水の水質データ値、すなわち、ＴＤＳ１のＴＤＳ値（ｐｐｍ）を取得し（Ｓ１４）、引き続き、浄水の水質データ値、すなわち、ＴＤＳ２のＴＤＳ値（ｐｐｍ）を取得する(Ｓ１５）。この水道水と浄水の水質データ値の取得は、容器センサＢＳにより載置台１５への載置を検知された容器Ｂに対する給水が完了するまで、設定された所定時間ごとに行われる。
【００４７】
給水が完了する（Ｓ１６においてＹｅｓ）と、すなわち、流量センサＦＭ１からの信号に基づいて当該容器Ｂに対する所定量の浄水が給水されたと判断すると、ＣＰＵ１は取得したＴＤＳ値を第２制御部ＣＯＮＴ２に送信する（Ｓ１７）とともに、給水終了信号を送信して（Ｓ１８）、その容器Ｂに対する給水動作を終了する。
【００４８】
次に、表示装置５０の第２制御部ＣＯＮＴ２による制御動作の内容を図５に基づいて説明する。
第２制御部ＣＯＮＴ２のＣＰＵ２も浄水生成部２０に電源が投入されると同時に起動し、まず、浄水生成部２０側から水質データ（ＴＤＳ１のＴＤＳ値及びＴＤＳ２のＴＤＳ値）を受信したか否かを監視し（Ｓ２１）、ＴＤＳ値を受信すると、これをＲＡＭ２の水質データ記憶エリアに保存する（Ｓ２２）。
【００４９】
次に、ＣＰＵ２は当日のＴＤＳ値を読み込み（Ｓ２３)、浄水生成部２０側から給水開始信号を受信したか否かを監視する（Ｓ２４）。給水開始信号を受信しないときは、浄水生成部２０からＴＤＳ値を受信したか否かを監視するＳ２１に戻る。浄水生成部２０側から給水開始信号を受信したときは、ＣＰＵ２の演算手段によりＴＤＳ１のＴＤＳ値及びＴＤＳ２のＴＤＳ値から周知の演算式を実行して浄水の不純物除去率(％)を算出する（Ｓ２５）。そして、算出された不純物除去率をＲＡＭ２に一時記憶させて、表示装置５０のディスプレイ５１に表示させる（Ｓ２６）。
【００５０】
続いて、ＣＰＵ２は浄水生成部２０側から給水終了信号を受信したか否かを監視し（Ｓ２７）、受信したときは当該容器Ｂに対する給水を完了したときにディスプレイ５１の不純物除去率の表示を非表示にする（Ｓ２８）。つまり、一つの容器に対する給水を開始するたびにその給水中にディスプレイ５１に浄水の不純物除去率を表示し、給水完了時にその表示を止める。
【００５１】
浄水生成部２０側から受信して保存されたＴＤＳ１のＴＤＳ値及びＴＤＳ２のＴＤＳ値は、これをそれぞれ累積して平均値（ｐｐｍ）を求めることが望ましい。すなわち、ＲＡＭ２には、ＴＤＳ１の水道水のＴＤＳ値（ｐｐｍ）とＴＤＳ２の透過水のＴＤＳ値（ｐｐｍ）とをそれぞれ受信するたびに累積値を記憶し、ＣＰＵ２の演算手段によりそれぞれのＴＤＳ値の平均値を演算して更新し、ＲＡＭ２の水質データ記憶エリアに保存する（Ｓ２２）。従って、Ｓ２５においては、平均除去率(％)が算出され、表示装置５０のディスプレイ５１には平均除去率が表示される（Ｓ２６）。
【００５２】
第２制御部ＣＯＮＴ２の記憶部には、表示装置５０の表示項目として、浄水のＴＤＳ値の平均値のみ、水道水と浄水のＴＤＳ値の平均値、平均除去率のみ、水道水のＴＤＳ値と浄水のＴＤＳ値の平均値及び平均除去率の４項目を選択可能に設定してあり、いずれかの表示項目を選択すると、特定の表示項目指定信号がＣＰＵ２に入力され、ＣＰＵ２は、その表示項目指定信号に基づいて、ディスプレイ５１に浄水のＴＤＳ値の平均値のみを表示させ、水道水と浄水のＴＤＳ値の平均値を対照的に表示させ、平均除去率のみを表示させ、あるいは、図６に例示するように、水道水のＴＤＳ値と浄水のＴＤＳ値の平均値（ｐｐｍ）及び平均除去率(％)を並列的に表示させるようになっている。
【００５３】
水道水と浄水のＴＤＳ値の平均値を対照的に表示するときは、当該浄水自動販売機において浄化前後の不純物濃度がどの程度変化しているかが具体的数値で示されるので、利用者は浄化能力を数値で知ることができ、安全性の程度を信用することができる。また、水道水のＴＤＳ値と浄水のＴＤＳ値の平均値及び平均除去率を並列的に表示する場合は、不純物濃度の変化程度と除去率を同時に知ることができるので、供給された浄水を高い安心感を持って利用することができる。
【００５４】
当日の給水を終了した時は、ＲＡＭ２に記憶された当日のＴＤＳ値（ｐｐｍ）をクリアしてもよい。しかし、毎日クリアせずに、例えば１ヶ月間分など、当該浄水自動販売機の逆浸透膜の予想交換時期の期間分のＴＤＳ１及びＴＤＳ２のＴＤＳ平均値（ｐｐｍ）を時系列的に保存することが望ましい。水質管理者は、この時系列的なＴＤＳ平均値を見ることにより、一定期間における水質の変動を知り、その原因を推測することができるので、水質管理に資する。
【００５５】
一定期間のＴＤＳ平均値及び平均除去率、並びに水圧検知手段ＰＳ１，ＰＳ２の水圧（ｋＰａ）を実績ファイルとして図示されていないＨＤＤなどの外部記憶装置に時系列時に記憶させておけば、逆浸透膜の性能管理を含む浄水供給装置の能力管理がさらに容易になる。
【００５６】
ＴＤＳ１及びＴＤＳ２のＴＤＳ平均値及び平均除去率の算出は、上記の第２制御部ＣＯＮT２のＣＰＵ２により行うことに限らない。第１制御部ＣＯＮＴ１のＣＰＵ１により行い、その結果を第２制御部ＣＯＮT２のＣＰＵ２に送信するようにしてもよい。
【００５７】
さらに、第１制御部ＣＯＮＴ１のＲＯＭ１に不純物除去率の基準値を記憶させて置き、当日測定された不純物除去率とその記憶されている基準値とを比較する比較手段（図示せず）をＣＰＵ１に備え、その比較手段が測定された不純物除去率が基準値よりも低くなったと判断したときに警報信号を出力するように構成し、その警報信号に基づいて例えば所定の電磁弁を閉じるなどして、浄水生成部の浄水供給機能を停止させることができる。また、その警報信号を第２制御部ＣＯＮＴ２のＣＰＵ２に送信し、ディスプレイ５１に「給水休止中」などの情報を表示することが望ましい。浄水供給機能を停止することにより、水質が基準値を下回った浄水の給水を確実に予防することができる。前記警報信号は、当該浄水自動販売機の管理会社への性能低下の通知にも利用することができる。これにより、浄水供給停止期間の短縮を図ることができる。
【００５８】
除去率が低下していること、あるいは水圧データが異常であることを、表示装置５０のディスプレイ５１又は表示燈等(図示せず)で報知するようにしてもよい。
【００５９】
上には、浄水生成部２０と表示装置５０とに各別のＣＰＵ１，ＣＰＵ２を備えた二つの制御部ＣＯＮＴ１，ＣＯＮＴ２を有する例を説明したが、この例は、表示装置を有しない既存の浄水自動販売機に表示装置を後付けする場合に好適な構成である。新製品の浄水自動販売機においては、浄水生成部２０と表示装置５０とに対して一つのＣＰＵを有する制御部を用いる構成とすることができる。その場合は、上記通信手段ＴＲ１，ＴＲ２が不要になる。
【符号の説明】
【００６０】
ＷＶ    浄水自動販売機
１０    筐体
１５    載置台
５１    ディスプレイ
ＴＤＳ１，ＴＤＳ２    水質測定手段（ＴＤＳメータ）
Ｂ      容器
【図１】
2013049030.tif 000003
【図２】
2013049030.tif 000004
【図３】
2013049030.tif 000005
【図４】
2013049030.tif 000006
【図５】
2013049030.tif 000007
【図６】
2013049030.tif 000008